(57)【特許請求の範囲】
【請求項１】
直腸内へ挿入できる直腸挿入管の内部に同直腸挿入管の長手方向に進退する内管を設け、同内管を吸引装置に接続し、直腸挿入管より進出させた内管の先端部を屈曲させる手段を設け、内管の先端開口の向きを変えられるようにし、前記内管を腸内の糞が停滞している位置まで進出させて糞を吸引して体外へ排出する排糞装置。
【請求項２】
内管外周と直腸挿入管内周の空間を閉塞した請求項１記載の排糞装置。
【請求項３】
直腸内へ挿入できる直腸挿入管の内部に同直腸挿入管の長手方向に進退する内管を設け、同内管を吸引装置に接続し、前記直腸挿入管を水・湯又は薬剤を送り込む注入装置に接続し、前記内管外周と前記直腸挿入管内周の空間から水・湯又は薬剤を注入し、直腸挿入管より進出させた内管の先端部を屈曲させる手段を設け、内管の先端開口の向きを変えられるようにし、前記内管を腸内の糞が停滞している位置まで進出させて糞を吸引して体外へ排出する排糞装置。
【請求項４】
直腸内へ挿入できる直腸挿入管の内部に同直腸挿入管の長手方向に進退する内管を設け、直腸挿入管より進出させた内管の先端部を屈曲させる手段を設け、内管の先端開口の向きを変えられるようにし、同内管と前記直腸挿入管を吸引装置に接続し、前記内管を腸内の糞が停滞している位置まで進出させて内管及び内管外周と直腸挿入管内周の空間から糞を吸引して体外へ排出する排糞装置。
【請求項５】
内管の先端を屈曲させる手段として、内管先端の多方向に複数の線材を結着し、同線材を引いて内管が屈曲する構造とした請求項１〜４いずれか記載の排糞装置。
【請求項６】
内管の先端に糞を細かくして吸引しやすいようにする破砕装置を設けた請求項１〜５いずれかに記載の排糞装置。
【請求項７】
破砕装置として、弾性板に複数の硬質板を所定の間隔で貼着し、弾性板又は硬質板の先端部に線材を結着し、同線材を直腸挿入管から外に引き出し、同線材を外部で操作して弾性体を屈曲させて糞を掻くようにした構造とした請求項６記載の排糞装置。
【請求項８】
直腸挿入管の外周壁に膨縮自在なバルーンを設けた請求項１〜７いずれかに記載の排糞装置。
【請求項９】
吸引装置として、直腸挿入管又は内管に接続される吸引チューブを備えた汚物収納容器に負圧発生装置を接続し、汚物収納容器の上方空間を負圧にして糞を吸引チューブを介して吸引できるようにした請求項１〜８いずれかに記載の排糞装置。
【発明の詳細な説明】
【０００１】
【発明の属する技術分野】
本発明は、排便能力が弱ったり、なくなってしまった老人や患者の腸内に停滞している便を強制的に除去したり、便通を回復させるために腸内に停滞している糞の一部を除去したり、宿便を除去したり、また、検査のために腸内の便を採取するのに用いる排糞装置に関する。
【０００２】
【従来の技術】
長い日数便通のない状態になっている人の腸内には、糞が停滞しており、たまった糞は大腸の働きによって水分を失ってかたくなっている。従来において、この治療には、直腸へ液状の薬剤を注入し、便意を起こさせ、かたくなっている腸内へ停滞している糞を軟らかくする方法がよく取られている。それでも便通がうまく行かない場合や、老人や患者の状態によって、直腸へ液状の薬剤を注入することができない場合などには、医療用の手袋を付け、直接手の指を直腸に入れて、手で掻き出す方法が取られていた。しかし、人の指が入ることから患者の不快感が強く、また、指の長さに限界があることから届かない場合があり、また指を長い時間動かすことが痛くてできないため十分な効果を得られない場合があった。
【０００３】
【発明が解決しようとする課題】
本発明が解決しようとする課題は従来のこれらの問題を解消し、糞を吸引する位置を自由に変えて確実に排糞でき、直腸へ挿入される不快感を少なくし、処置する人が楽で、十分な効果が得られる排糞装置を提供することにある。
【０００４】
【課題を解決するための手段】
かかる課題を解決した本発明の構成は、
１）  直腸内へ挿入できる直腸挿入管の内部に同直腸挿入管の長手方向に進退する内管を設け、同内管を吸引装置に接続し、直腸挿入管より進出させた内管の先端部を屈曲させる手段を設け、内管の先端開口の向きを変えられるようにし、前記内管を腸内の糞が停滞している位置まで進出させて糞を吸引して体外へ排出する排糞装置
２）  内管外周と直腸挿入管内周の空間を閉塞した前記１）記載の排糞装置
３）  直腸内へ挿入できる直腸挿入管の内部に同直腸挿入管の長手方向に進退する内管を設け、同内管を吸引装置に接続し、前記直腸挿入管を水・湯又は薬剤を送り込む注入装置に接続し、前記内管外周と前記直腸挿入管内周の空間から水・湯又は薬剤を注入し、直腸挿入管より進出させた内管の先端部を屈曲させる手段を設け、内管の先端開口の向きを変えられるようにし、前記内管を腸内の糞が停滞している位置まで進出させて糞を吸引して体外へ排出する排糞装置
４）  直腸内へ挿入できる直腸挿入管の内部に同直腸挿入管の長手方向に進退する内管を設け、直腸挿入管より進出させた内管の先端部を屈曲させる手段を設け、内管の先端開口の向きを変えられるようにし、同内管と前記直腸挿入管を吸引装置に接続し、前記内管を腸内の糞が停滞している位置まで進出させて内管及び内管外周と直腸挿入管内周の空間から糞を吸引して体外へ排出する排糞装置
５）  内管の先端を屈曲させる手段として、内管先端の多方向に複数の線材を結着し、同線材を引いて内管が屈曲する構造とした前記１）〜４）いずれか記載の排糞装置
６）  内管の先端に糞を細かくして吸引しやすいようにする破砕装置を設けた前記１）〜５）いずれかに記載の排糞装置
７）  破砕装置として、弾性板に複数の硬質板を所定の間隔で貼着し、弾性板又は硬質板の先端部に線材を結着し、同線材を直腸挿入管から外に引き出し、同線材を外部で操作して弾性体を屈曲させて糞を掻くようにした構造とした前記６）記載の排糞装置
８）  直腸挿入管の外周壁に膨縮自在なバルーンを設けた前記１）〜７）いずれかに記載の排糞装置
９）  吸引装置として、直腸挿入管又は内管に接続される吸引チューブを備えた汚物収納容器に負圧発生装置を接続し、汚物収納容器の上方空間を負圧にして糞を吸引チューブを介して吸引できるようにした前記１）〜８）いずれかに記載の排糞装置
にある。
【０００５】
【作用】
本発明では、直腸挿入管を直腸へ挿入し、同直腸挿入管の長手方向に進退する内管を直腸挿入管より突出させ、内管の先端を直腸内で停滞している糞のすぐ近傍に位置させる。次に吸引装置によって内管の先端開口より糞を吸引し、体外へ排出する。
内管外周と直腸挿入管内周の空間を閉塞したものは、内管と直腸挿入管の間から糞が洩れるのを防ぐ。
内管外周と直腸挿入管内周の空間を注入装置に接続したものは、内管外周と直腸挿入管内周の空間より腸内へ水・湯又は薬剤を注入して腸内に停滞している糞を軟らかくし、吸引装置に接続した内管の方で軟らかくなった糞を吸引して体外へ排出する。
内管及び直腸挿入管と吸引装置を接続したものは、内管及び内管外周と直腸挿入管外周の空間から腸内の糞を吸引する。
直腸挿入管より進出させた内管の先端を屈曲させる手段を設けているので、糞を吸引する内管の開口先端の位置と向きを変えてより広範囲の糞を吸引する。
内管の先端を屈曲させる手段として、内管先端の多方向に複数の線材を結着し、同線材を引いて内管が屈曲する構造としたものは、内管を屈曲させる方向の線材を引いて内管を屈曲させて、内管の開口先端の位置と向きを変えてより広範囲の糞を吸引する。
内管の先端に破砕装置を設けたものは、腸内で大腸の働きによってかたくなった糞を細かく破砕して吸引しやすくする。
破砕装置として、弾性板に複数の硬質板を所定の間隔で貼着し、弾性板又は硬質板に線材を結着したものは、線材を外部の後方で引いて、硬質板の間の弾性板の部分が段階的に曲がることによって、人の指を曲げるのと同じ動きをさせて、糞を掻き取るようにして細かくして吸引しやすくする。
直腸挿入管の外周壁に膨縮自在なバルーンを設けたものは、直腸挿入管を直腸へ挿入し、バルーンを膨らませて、痛みを感じさせることなく直腸挿入管を人体へ固定する。
吸引装置として、汚物収納容器と負圧発生装置を用いたものは、負圧発生装置によって汚物収納容器の上方空間を負圧雰囲気にして、腸内との圧力差によって糞を体外へ排出する。
【０００６】
【発明の実施の形態】
内管は複数でもよく、また内管の内部に複数の注入路又は排出路を設けてもよい。
内管の径は太くても細くてもよく用途に応じて選ばれる。
内管は大きな力で腸壁に当った場合に腸壁を傷つけないように曲がる弾性を持ち直腸挿入管より直線的に進退できる適度な強度を持ったものが好ましい。
直腸挿入管は直腸へ挿入するため、ある程度の剛性が必要だが、腸の内壁等を傷つけないよう軟らかいものが好ましい。また先端は丸みのある形状にして腸の内壁等を傷つけないものが好ましい。
線材には、鋼線、樹脂線などがあり、強度があり腐触しにくものが好ましい。
弾性板や硬質板は腐食しにくいものが好ましい。
【０００７】
【実施例】
本発明の各実施例について図面を参照して具体的に説明する。
実施例１（図１〜６参照）
図１〜６に示す実施例１は、内管と直腸挿入管の間を閉塞し、内管を吸引装置に接続し、吸引装置として汚物収納容器に負圧発生装置を接続し、内管の先端に破砕装置を設け、破砕装置として弾性板に複数の硬質板を所定の間隔で貼着し、弾性板又は硬質板に線材を結着し、直腸挿入管の外周壁に膨縮自在なバルーンを設けた排糞装置の例である。
図１は実施例１の排糞装置の説明図である。図２は実施例１の排糞装置の側面図である。図３は図２のＡ−Ａ断面図である。図４は実施例１の排糞装置の概略図である。図５は実施例１の排糞装置を使用している状態を示す説明図である。図６は実施例１の排糞装置を使用している状態を示す説明図である。
図中、１は排糞装置、２は直腸挿入管、３は内管、４は破砕装置、４ａは弾性板、４ｂは硬質板、４ｃは支持部、５は線材、６は保護チューブ、７は樹脂フィルム、８はバルーン、９はバルーン用空気注入管、１０は空気ポンプ、１１はＯリング、１２は汚物収納容器、１３は負圧発生装置、Ｃ1は直腸、Ｃ2は直腸に停滞している糞である。
実施例１では図１〜６に示すように直腸挿入管２の内側の先端近くに溝を設け、その中にＯリング１１を設ける。次に直腸挿入管の内径より小さな外側の内管３を設ける。Ｏリング１１は、直腸挿入管２の内周と内管３の外周によって圧縮変形され、その反力で直腸挿入管内周と内管外周の空間を閉塞する。内管３の先端開口に弾性板４ａを突出するようにして取り付ける。弾性板４ａの内側に支持部３ｃを取り付ける。次に３つの硬質板４ｂを図１に示すように間隔をあけて弾性板４ａの内径側に取り付ける。先端の硬質板４ｂは弾性板４ａより突出するようにして弾性板４ａに取り付ける。この先端の硬質板４ｂの先端には図１に示すように丸みがつけられていて、この部分が腸の内壁に当たった場合に腸を傷つけないようにしている。次に弾性板３ａの先端に取り付けた硬質板４ｂの先端付近に線材５を取り付け、先端より下方の硬質板４ｂの内側に保護チューブ６を取り付け、線材５を保護チューブ６の穴に貫通させるようにして破砕装置に沿うように取り付け、排出管３の内部を通って排出管３の途中より外部に出るように取り付ける。次に下方の線材４を保護チューブ６の穴に貫通させるようにして、保護チューブ６を取り付ける。本実施例１では、この支持部４ｃ、弾性板４ａ、線材５、硬質板４ｂで破砕装置４を構成する。次にこの破砕装置４を樹脂フィルム７で覆う。このように破砕装置４を樹脂フィルム７で覆うことによって破砕装置４に水分や汚れが付着して腐触が進まないようにし、また汚れがひどくなったら樹脂フィルム７を交換すれば長期間使用でき、また長期間、清潔に使用できる。弾性板４ａの硬質板４ｂ同士が取り付けられている間には穴が貫通させてあるので、この部分で両側の樹脂フィルム７同士を接触させ、接着する。次に図２，３に示すように直腸挿入管２の外周に２つのバルーン８を設ける。次にバルーン８に各々バルーン用空気注入管９を取り付け、バルーン用空気注入管９の後端を空気ポンプ１０に取り付ける。次に汚物収納容器１２を設けて、内管３の後端を取り付ける。次に、汚物収納容器１２に別の排出チューブを取り付け、排出チューブのもう一方に負圧発生装置１３を取り付ける。また、保護チューブ６で覆った線材５は、内管３の途中で外へ取り出されていて、保護チューブ６と内管３の間は弾性と密閉性のある接着剤で取り付けられている。また、内管３の途中で取り出された線材５を覆った保護チューブ６の端には、線材５と保護チューブ６の間を密閉し、かつ、線材５が摺動可能なようにゴムキャップが取り付けられている。また、線材５の内管３の途中より取り出した端には取手が取り付けられている。また、直腸挿入管２の内側にはＯリング１１が設けられており、内管３と直腸挿入管２の間をシールし、かつ、内管３を摺動できるように支持する。
この実施例１の排糞装置を使用するには、まず、バルーン８を膨らませない状態で、直腸挿入管を直腸へ挿入する。この際には、２つのバルーン８で肛門を直腸内と体外から挟むように位置させる。次に空気ポンプ１０により空気をバルーン８に送って、バルーン８を膨らませる。２つのバルーン８の片方が直腸内、片方が体外で膨んで、２つのバルーン８によって肛門をはさむようにして直腸挿入管２を人体に固定する。このようにして直腸挿入管２を固定することによって、直腸挿入管が動いて痛みを感じさせたり、肛門等を傷つけたりすることがないようにする。次に、体外に出ている直腸挿入管２の後端より突出している内管３を直腸挿入管２の後端に押し込むことによって、肛門に固定した直腸挿入管２より内管を突出させて行く。処置を行う人が感触を確めながら、図５，６に示すように内管３の先端に設けている破砕装置４が腸内に停滞している糞に当たるまで内管３を伸ばす。次に、負圧発生装置１３を作動させ、線材５の後方端に取り付けた取手を引く。すると破砕装置４の弾性板４ａの先端に取り付けた硬質板４ｂが直腸挿入管２側へ引かれる。先端の硬質板４ｂが直腸挿入管２側へ引かれることにより、硬質板４ｂと一体となっている弾性板４ａが曲がっていく。この際、３つの硬質板４ｂが弾性板４ａに取り付けられているため、弾性板４ａは硬質板４ｂ同士の間が曲がってあたかも人が指を曲げたような動きをする。この動きによって掻き取り体４が腸に停滞している糞を掻き取って直腸挿入管２の先端から突出した内管３の先端開口へ誘導する。また、線材５は破砕装置４に沿って取り付けられているので、線材５が破砕を邪魔しないようにする。内管３の先端開口は、後方に設けられた負圧発生装置１３に連結されているため、破砕装置４によって内管３の先端開口へ誘導された糞は内管３の内へ吸引され、体外の汚物収納容器１２へ送られ、集められる。この処置中に便通が回復しても、２つのバルーン８が直腸挿入管２と肛門の間を密閉し、かつＯリング１１が直腸挿入管２と内管３の間を密閉するので、便は内管３を通って汚物収納容器１２へ排出される。よって清潔で、場所を選ばず容易に使用できる。また、後処理も簡単である。もし、腸内のかたくなってしまった糞が多く深く停滞している場合には、さらに内管３を突出し、破砕装置４で糞を破砕して、内管３で吸引させれば便通を確実に回復させることができる。このように腸内の糞を吸引する位置を自由に変えて腸内に停滞している糞を排出すれば、確実に排糞でき、人の指を直接患者の直腸に入れる必要がなくなって患者の不快感が少なくなり、人の指よりも奥の腸内深くまで挿入させることができ、処置する人は患者の状態に気を配りつつ、線材５と内管３を外部から操作すればよいので、比較的長い時間、この処置を行っても指で行うのに比べてかなり疲れることが少ない。また直腸挿入管２の内管３からお湯や薬剤を腸内へ注入し、排便をさせやすくしてもよい。このように本実施例１の排糞装置を用いれば、便通を回復させるのに十分な効果をあげることができる。
実施例２（図７，８参照）
図７，８に示す実施例２は、内管を吸引装置に接続し、直腸挿入管を薬剤注入装置に接続し、内管の先端を屈曲できる手段として、内管先端の多方向に複数の線材を結着し、同線材を引いて内管が屈曲する排糞装置の例である。
図７は実施例２の排糞装置の側面図である。図８は図７のＢ−Ｂ断面図である。
図中、１５は回転盤、１６は線材、１９は注入装置である。
実施例２では図７，８に示すように、内管３の先端の四方に線材１６を結着し、線材１６を直線的に張った状態で、直腸挿入管２を貫通して後方まで延長し、上下、左右の線材を各々回転盤１５の上下、左右の円周上に取り付ける。また、線材１６を直腸挿入管２より外部に引き出す部分は、糞が外部に洩れることがないよう隙間にゴム材を取り付ける。また、図８に示すように直腸挿入管２内周と内管３外周の空間を薬剤の注入路として用いる。直腸挿入管２の終端にゴム材を取り付け、直腸挿入管２の終端より引き出した内管３がゴム材を圧縮して内管３と直腸挿入管２の間を密閉している。直腸挿入管の終端部分には注入チューブを設け注入装置１９を接続する。
実施例２の排糞装置は直腸挿入管２を直腸に挿入して固定した後、注入装置１９によって薬剤を送り込む。薬剤は直腸挿入管２内周と内管３外周の空間を通って、直腸挿入管の先端から直腸へ挿入される。薬剤によって直腸内で停滞してかたくなっている糞が軟らかくなる。本実施例２では糞を軟らかくして吸引することによって非常に効果的に排糞を行う。薬剤によって糞を軟らかくしたならば、吸引装置を駆動させる。吸引装置は内管３に接続されているので、内管３の先端開口より軟らかくなった糞を吸引する。さらに線材１６の取り付けられた回転盤１５を回すと、一方の線材が引っ張られ、一方の線材が緩む。よって内管３の先端の一方が引っ張られ、対向している内管３の一方が緩むことによって、図７に示すように直腸挿入管より突出した内管３は多方向に屈曲する。吸引させながら内管３の先端を多方向に屈曲させることによって、広い範囲の糞を排除することができる。よって確実に排糞できるようになる。さらに、直腸挿入管の人体への入れ替えなしに直腸への薬剤への注入と糞の排出が行えるので短時間で処置でき、患者の負担を減らすことができる。
その他符号、構成、作用、使い方は実施例１と同じである。
実施例３（図９参照）
図９に示す実施例３は内管と直腸挿入管を吸引装置に接続した排糞装置の例である。
図９は実施例３の排糞装置を使用している状態を示す説明図である。
実施例３では図９に示すように内管と直腸挿入管を吸引装置に接続している。このように内管及び内管外周と直腸挿入管内周の空間から腸内の糞を吸引できるようにして、効果的に排糞できるようにしてもよい。
その他、符号、構成、作用、使い方は実施例１と同じである。
【０００８】
【発明の効果】
本発明によれば、糞を吸引する位置を自由に替えて確実に排糞でき、直腸へ挿入される不快感を少なくし、処置する人が楽で、十分な効果が得られる排糞装置を提供することができる。
内管と直腸挿入管の間を閉塞したものは、内管と直腸挿入管の間から糞が漏れるのを防いで、清潔で容易に使用できる排糞装置となる。
内管外周と直腸挿入管内周の空間を注入装置に接続し、内管を吸引装置に接続したものは、腸内へ水・湯又は薬剤を注入して腸内に停滞している糞を軟らかくして、吸引して排出することによって、非常に効果的に、また直腸挿入管の人体への入れ替えなしに直腸への水・湯又は薬剤の注入と糞の排出が行えるので短時間で処置でき、患者の負担を減らすことができる。
内管及び直腸挿入管と吸引装置を接続したものは、内管及び内管外周と直腸挿入管内周との空間の位置を異にする個所から糞を吸引することで効果的に排糞できるようにする。
内管の先端に屈曲できる手段を設けたものと、屈曲できる手段として内管先端の多方向に複数の線材を結着したものは、内管の開口先端の位置と向きを変えてより広範囲の糞を吸引するようにして確実に排糞できるようにする。
内管の先端に破砕装置を設けたものと、破砕装置として弾性板に複数の硬質板を所定の間隔で貼着し、弾性板又は硬質板に線材を結着したものは、糞を細く破砕して吸引しやすくして確実に腸内の糞を排除する。
直腸挿入管の外周壁に膨縮自在なバルーンを設けたものは、患者に痛みを感じさせたり、肛門等を傷つけないようにし、また糞が体外に漏れないようにして清潔に使用できるようにする。
吸引装置として、汚物収納容器と負圧発生装置を用いたものは、排除した糞を汚物収納容器に集めるようにして、後処理を簡単に行えるようにする。
【図面の簡単な説明】
【図１】実施例１の排糞装置の説明図である。
【図２】実施例１の排糞装置の側面図である。
【図３】図２のＡ−Ａ断面図である。
【図４】実施例１の排糞装置の概略図である。
【図５】実施例１の排糞装置を使用している状態を示す説明図である。
【図６】実施例１の排糞装置を使用している状態を示す説明図である。
【図７】実施例２の排糞装置の側面図である。
【図８】図７のＢ−Ｂ断面図である。
【図９】実施例３の排糞装置を使用している状態を示す説明図である。
【符号の説明】
１  排糞装置
２  直腸挿入管
３  内管
４  破砕装置
４ａ  弾性板
４ｂ  硬質板
４ｃ  支持部
５  線材
６  保護チューブ
７  樹脂フィルム
８  バルーン
９  バルーン用空気注入管
１０  空気ポンプ
１１  Ｏリング
１２  汚物収納容器
１３  負圧発生装置
１５  回転盤
１６  線材
１９  注入装置
Ｃ1   直腸
Ｃ2   直腸に停滞している糞
【図１】
0003581573.tif 000002
【図２】
0003581573.tif 000003
【図３】
0003581573.tif 000004
【図４】
0003581573.tif 000005
【図５】
0003581573.tif 000006
【図６】
0003581573.tif 000007
【図７】
0003581573.tif 000008
【図８】
0003581573.tif 000009
【図９】
0003581573.tif 000010